(57)【要約】【課題】ユーザが視聴中の番組を変えることなく、簡易な操作で任意のデジタル放送の番組情報の閲覧を可能とするデジタル放送受信装置を提供する。【解決手段】チャンネルに対応付けられた数字キー（０〜９，＊，＃）に対する操作に応じて、映像表示中のチャンネルを変えることなく、操作された数字キーに対応するチャンネルの番組内容（裏番組の内容）を、視聴中の番組の映像表示を遮ることがない態様で表示部２３に表示させる。【選択図】図５
2006013967.tif 000002
【特許請求の範囲】
【請求項１】
デジタル放送波を受信する受信手段と、
該受信手段が受信可能な複数のチャンネルから所定のチャンネルを選択する選択手段と、
該選択手段において選択され前記受信手段により受信されたチャンネルの映像を表示する表示手段と、
前記受信手段が受信する放送波からチャンネルの番組情報を取得する取得手段と、
現在表示しているチャンネルと異なるチャンネルが前記選択手段により選択された場合、現在表示しているチャンネルの映像を表示させ続けた状態で、前記取得手段が取得した当該選択されたチャンネルに対応する番組情報を前記表示手段に表示するように制御する制御手段と、
を備えたことを特徴とするデジタル放送受信装置。
【請求項２】
デジタル放送波を受信する受信手段と、
該受信手段が受信可能な複数のチャンネルから所定のチャンネルを選択する選択手段と、
該選択手段において選択され前記受信手段により受信されたチャンネルの映像を表示する表示手段と、
無線通信網を介してチャンネルの番組情報を取得する取得手段と、
現在表示しているチャンネルと異なるチャンネルが前記選択手段により選択された場合、現在表示しているチャンネルの映像を表示させ続けた状態で、前記取得手段が取得した当該選択されたチャンネルに対応する番組情報を前記表示手段に表示するように制御する制御手段と、
を備えたことを特徴とするデジタル放送受信装置。
【請求項３】
デジタル放送波を受信する受信手段と、
該受信手段により受信されたチャンネルの映像を表示する表示手段と、
前記受信手段が受信可能なチャンネルから番組情報を取得する取得手段と、
押下する毎に順に受信可能なチャンネルを選択する選択手段と、
前記選択手段の押下により現在表示しているチャンネルと異なるチャンネルが前記選択手段により選択された場合、現在表示しているチャンネルの映像を表示させ続けた状態で、前記取得手段が取得した当該選択されたチャンネルに対応する番組情報を前記表示手段に表示するように制御する制御手段と、
を備えたことを特徴とするデジタル放送受信装置。
【請求項４】
デジタル放送波を受信する受信手段と、
該受信手段により受信されたチャンネルの映像を表示する表示手段と、
無線通信網を介してチャンネルから番組情報を取得する取得手段と、
押下する毎に順に受信可能なチャンネルを選択する選択手段と、
前記選択手段の押下により現在表示しているチャンネルと異なるチャンネルが前記選択手段により選択された場合、現在表示しているチャンネルの映像を表示させ続けた状態で、前記取得手段が取得した当該選択されたチャンネルに対応する番組情報を前記表示手段に表示するように制御する制御手段と、
を備えたことを特徴とするデジタル放送受信装置。
【請求項５】
前記選択手段には各チャンネルに対応する選択キーが複数備えられ、
前記制御手段は、現在表示しているチャンネルと異なるチャンネルに対応する選択キーが所定間隔以上押下された際に、当該選択されたチャンネルに対応する番組情報を前記表示手段に表示するように制御することを特徴とする
請求項１記載のデジタル放送受信装置。
【請求項６】
前記取得手段が取得した番組情報を記憶する記憶手段と、を備え
前記制御手段は、当該選択されたチャンネルに対応する番組情報を前記記憶手段から取得して前記表示手段に表示するように制御することを特徴とする
請求項１から４記載のデジタル放送受信装置。
【請求項７】
前記制御手段は、現在表示しているチャンネルの映像を遮ることがない態様で、当該選択されたチャンネルに対応する番組情報を前記表示手段に表示するように制御することを特徴とする
請求項１から４記載のデジタル放送受信装置。
【発明の詳細な説明】
【技術分野】
【０００１】
本発明は、デジタル放送を受信して映像表示するデジタル放送受信装置に関する。
【背景技術】
【０００２】
近年、携帯端末としての携帯電話機の高機能化が進んでおり、ラジオ放送やテレビジョン放送の受信が可能な携帯電話機が市場に登場し始めている。
たとえば、下記特許文献１には、携帯電話機にテレビチューナを内蔵する技術が開示されている。
かかる携帯電話機では、たとえば、テレビジョン放送のチャンネルを切り換えるために、特定の操作キーを押下することによってチャンネルを切り換える方法、数字キーとチャンネル番号に対応する周波数を予め関連付けておいて、押下された数字キーに対応する周波数に切り換えて受信する方法などがとられている。
これらの方法は、新聞や雑誌などのテレビ番組表を確認してから、ユーザが所望するチャンネルに切り換える必要があり、また、ユーザが外出中の場合など、テレビ番組表がない場合では、チャンネルを切り換えながらその都度画面の内容を確認してユーザが所望するチャンネルを探す必要があるため、操作性の点で問題がある。
【０００３】
一方、地上波のテレビジョン放送として地上波デジタル放送が開始され、かかる地上波デジタル放送では、上述した問題を解消するために、電子番組ガイド（ＥＰＧデータ）がサービスされる。また、地上波デジタル放送または衛星デジタル放送では、主に携帯性の高い小型受信機向けに、１または３セグメントの伝送帯域を使用した放送が予定されている。
ＥＰＧデータは、放送局から送出され、番組名とその放送時間からなる時間毎の番組情報を含むデータであり、地上波デジタル放送を受信する受信機（たとえば、テレビジョン受信機や上述した携帯電話機）では、このＥＰＧデータを受信することで常に番組情報の確認ができるようになる。このＥＰＧデータに対応した受信機を使用すれば、ユーザは受信機上で番組の放送予定や、現在放送中の他チャンネルの番組を確認することができる。
【０００４】
図９は、ＥＰＧデータに基づいて表示されるテレビジョン受信機向けの電子番組ガイドの一例である。
図９に示すように、１週間程度先までの番組情報を含むＥＰＧデータが受信されて受信機内のメモリに保存される。受信機本体やリモコン機に設定されるＥＰＧ呼出ボタンが押下されたり、メニューから番組表機能が呼び出されると、メモリに保存されたＥＰＧデータに基づいて、その時刻以降の番組情報が放送時間とチャンネルからなるマトリクス状に表示される。
その際、番組表が１画面に収まらない場合には、受信機に備えられる方向キーにより画面をスクロールさせて所望の時間帯やチャンネルが表示されるようにすることができ、また、番組の時間帯毎に選択可能に構成され、選択された時間帯によって表示を切り換えることができるようになっている。
また、受信機の中には、番組情報の検索機能を持つものもあり、かかる受信機によれば、番組のジャンルや放送局、キーワード検索などで所望の番組を検索することが可能である。
電子番組ガイド上でユーザが任意の番組情報を選択すると、番組内容や出演者などの詳細な番組情報が閲覧できたり、当該番組の録画予約が可能となる。
【０００５】
【特許文献１】特開２００２−９９２０号公報
【発明の開示】
【発明が解決しようとする課題】
【０００６】
ところで、上述したように、ＥＰＧデータによる電子番組ガイドを表示させることにより、ユーザは適宜、視聴していない他の番組情報について調べることが可能であり、その際、ユーザは、電子番組ガイドを表示させたうえで、さらに所望のチャンネルと時間帯が表示されるように操作キーを操作する。
かかる操作は、テレビジョン受信機のように大型の表示装置を備えるものでは、図９に示したように１画面に表示可能な情報量が多いために操作性の問題が顕在化しないが、携帯電話機のように小型の表示装置を備えるものについては、１画面に表示可能な情報量が少ないために複数の操作を必要とし、操作性上問題となる場合があるので、より簡易に番組情報を確認できる技術が要望される。
また、番組情報の確認は、ユーザが視聴中の番組を変更せずに行うことができることが操作性の観点から望ましい。
【０００７】
本発明はかかる事情に鑑みてなされたものであり、その目的は、ユーザが視聴中の番組を変えることなく、簡易な操作で任意のデジタル放送の番組情報の閲覧を可能とするデジタル放送受信装置を提供することにある。
【課題を解決するための手段】
【０００８】
上記目的を達成するために、本発明の第１の観点は、デジタル放送波を受信する受信手段と、該受信手段が受信可能な複数のチャンネルから所定のチャンネルを選択する選択手段と、該選択手段において選択され前記受信手段により受信されたチャンネルの映像を表示する表示手段と、前記受信手段が受信する放送波からチャンネルの番組情報を取得する取得手段と、現在表示しているチャンネルと異なるチャンネルが前記選択手段により選択された場合、現在表示しているチャンネルの映像を表示させ続けた状態で、前記取得手段が取得した当該選択されたチャンネルに対応する番組情報を前記表示手段に表示するように制御する制御手段と、を備えたデジタル放送受信装置である。
【０００９】
上記目的を達成するために、本発明の第２の観点は、デジタル放送波を受信する受信手段と、該受信手段が受信可能な複数のチャンネルから所定のチャンネルを選択する選択手段と、該選択手段において選択され前記受信手段により受信されたチャンネルの映像を表示する表示手段と、前記受信手段が受信可能なチャンネルから番組情報を取得する取得手段と、押下する毎に順に受信可能なチャンネルを選択する選択手段と、前記選択手段の押下により現在表示しているチャンネルと異なるチャンネルが前記選択手段により選択された場合、現在表示しているチャンネルの映像を表示させ続けた状態で、前記取得手段が取得した当該選択されたチャンネルに対応する番組情報を前記表示手段に表示するように制御する制御手段と、を備えたデジタル放送受信装置である。
【００１０】
好適には、前記選択手段には各チャンネルに対応する選択キーが複数備えられ、前記制御手段は、現在表示しているチャンネルと異なるチャンネルに対応する選択キーが所定間隔以上押下された際に、当該選択されたチャンネルに対応する番組情報を前記表示手段に表示するように制御する。
【００１１】
好適には、前記取得手段が取得した番組情報を記憶する記憶手段と、を備え前記制御手段は、当該選択されたチャンネルに対応する番組情報を前記記憶手段から取得して前記表示手段に表示するように制御する。
【発明の効果】
【００１２】
本発明のデジタル放送受信装置によれば、ユーザが視聴中の番組を変えることなく、簡易な操作で任意のデジタル放送の番組情報の閲覧を可能とする。
【発明を実施するための最良の形態】
【００１３】
第１の実施形態
以下、本発明のデジタル放送受信装置の一実施形態として、デジタル放送受信装置を搭載する携帯電話機について、添付図面に関連付けて述べる。
なお、図１は、本実施形態に係る携帯電話機の外観形状の一例であり、図２は、回路ブロック図の一例である。
本実施形態の携帯電話機は、地上波デジタル放送を受信可能な携帯電話機である。以下、図２に示す回路ブロックを構成する主要な構成要素について説明する。
【００１４】
無線部１３は、送受信アンテナを含んで構成され、電波を利用した無線通信を行うために、制御部１１で処理された音声情報、電子メール等を変調して送受信アンテナ１２により図示しない基地局に送信する。
また、無線部１３は、基地局から無線により送信され、送受信アンテナ１２で受信した電子メールや音声情報等の各種情報を復調して制御部１１に送出する。
【００１５】
メモリ１４は、ＥＥＰＲＯＭ等の不揮発性メモリを含んで構成され、通話やメールの送受信のための制御プログラム、インターネットブラウザ、メッセージデータ、名前および電話番号が登録されたアドレス帳のほか、本実施形態の携帯電話機が有する様々なアプリケーションを実行するためのアプリケーションプログラムを記憶する。制御部１１は、たとえば、アプリケーションを起動するために、メモリ１４が記憶するアプリケーションプログラムをＲＡＭ領域にロードする。
また、メモリ１４は、受信したＥＰＧデータを記憶する。
【００１６】
キー操作部１５は、複数の操作キーを含んで構成される。キー操作部１５には、図１に示すように、メニュー画面の操作や終了（終話）／電源キー、開始（発呼）キーなどの機能を有する左操作キー１５１および右操作キー１５２と、数字の０〜９および「＊」，「＃」からなる３×４の数字キー１５３と、が含まれる。また、カーソルを移動させる方向キー（図示しない）を備えてもよい。
【００１７】
また、数字キー１５３の各キーは、それぞれデジタル放送におけるテレビジョンのリモコンキー番号に対応している。
図３は、（ａ）数字キー１５３の各キーと、（ｂ）リモコンキー番号と、（ｃ）チャンネルとの関係を示したものであり、図に示すように予め数字キー１５３の各キー毎に割り当てられている。すなわち、数字キーの「１」〜「９」は、リモコンキー番号：１〜９にそれぞれ対応し、数字キー１５３のうち「＊」、「０」、「＃」は、リモコンキー番号：１０〜１２にそれぞれ対応して割り当てられている。
なお、リモコンキー番号：１０〜１２については、数字キーの連続入力に対応させるようにしてもよい。たとえば、「１」キーに続けて「０」〜「２」が押下された場合に、リモコンキー番号：１０〜１２に対応させる。
上述したメモリ１４には、図３に示す対応関係がデータとして格納され、デジタル放送の受信中にユーザにより数字キー１５３が押下されると、チャンネルを選択するために制御部１１によりアクセスされる。
【００１８】
送受信アンテナ２０、チューナー１６、復調部１７、および多重分離部１８は、本発明の受信手段に相当し、制御部１１により、デジタル放送波の受信／映像表示／音声出力が制御される。
すなわち、図示しない放送基地局より送受信アンテナ２０が受信した信号は、チューナー１６によりユーザ所望のチャンネル（周波数帯）が選択された後、復調部１７によりＯＦＤＭ復調されてトランポートストリームデータ（ＴＳデータ）として抽出される。
多重分離部１８は、抽出されたＴＳデータを、画像データと音声データとＥＰＧ（電子番組ガイド）データに分離する。
なお、デジタル放送では、ゲームへの参加、テレビショッピング等の双方向サービスが行われるが、実施形態に係る携帯電話機から放送基地局へ信号を送信する際には、制御部１１により信号が変調され、送受信アンテナ１２を介して送出される。
【００１９】
画像処理部１９は、分離された画像信号を復号し、映像信号を出力するとともに、表示部２３を駆動して表示部２３のＬＣＤに画像を表示させる。なお、画像処理部１９は、デジタル放送の画像だけではなく、通話機能に応じたいわゆる待受画面や電話番号などを表示部２３に表示させることは言うまでもない。
【００２０】
音声処理部２２は、マイクロフォン（マイク）２５より集音したユーザの音声に対して、フィルタリング処理や符号化処理などの所定の処理を行って音声データを生成する。生成された音声データは、たとえば、無線部１３および送受信アンテナ１２を介して図示しない基地局へ通話のために送出される。
また、音声処理部２２は、送受信アンテナ１２および無線部１３を介して受信した音声データや、多重分離部１８により分離された音声信号を復号、増幅して、スピーカ２４に音声を出力させる。
【００２１】
データ処理部２１は、字幕やデータ放送用のデータを処理して表示画面を再構成したり、ＥＰＧデータの処理を行う。処理されたＥＰＧデータは、制御部１１を介してメモリ１４に格納される。
【００２２】
本発明の制御手段としての制御部１１は、マイクロコンピュータを主体として構成され、実施形態に係る携帯電話機の全体の制御を行う。たとえば、制御部１１は、無線部１３における各種情報の無線による送受信の制御、音声処理部２２に対する音声情報の処理、表示部２３への情報の表示制御、キー操作部１５からの入力情報に応じた処理、メモリ１４に対するアクセス制御等を行う。
【００２３】
また、制御部１１は、チューナー１６と復調部１７と多重分離部１８とから構成されるデジタル放送受信機能を統括する。
制御部１１は、メモリ１４に格納されたＥＰＧデータに基づいて、ユーザのキー操作部１５に対する操作に応じた情報を表示部２３に表示させる。ＥＰＧデータは、時間毎のチャンネルとその番組内容に関する情報（番組情報）が含まれているので、制御部１１は、時間やチャンネル、番組のジャンル等のユーザ入力に基づいて、番組情報を検索することが可能である。
【００２４】
特に、本実施形態に係る携帯電話機では、受信して映像表示中のチャンネルと異なるチャンネルの番組内容について、表示中の画面（映像）を切り替えることなく表示部２３に表示させることが可能であり、この表示処理について、図４のフローチャートを用いて述べる。
なお、以下の表示処理は制御部１１により実行される。
図４は、デジタル放送を受信して映像表示中に数字キーが入力された場合の制御部１１の処理を示すフローチャートである。
以下、図４のフローチャートの各ステップについて説明する。
【００２５】
あるチャンネルを視聴中にユーザから数字キー１５３のうち一のキーが押下（操作）されると（ステップＳＴ１０）、キー操作部１５は、制御部１１に対して押下されたキーの番号とともにキーイベントを通知する。
キーイベントは、キーの操作に関する情報である。具体的には、キーが所定の閾値より長い時間押下された場合には、キーイベントは「長押し」と判定され、キーが所定の閾値より短い時間だけ押下された場合には、キーイベントは「短押し」と判定される。これらの情報（「長押し」／「短押し」）がキーイベントとして通知される。
【００２６】
制御部１１は、押下されたキー番号に基づいてメモリ１４にアクセスし、キー番号に対応するチャンネル情報を取得する（ステップＳＴ１１）。
制御部１１は、さらに、キー操作部１５より通知されるキーイベントが「短押し」の場合（ステップＳＴ１２）には、対応するチャンネルに切り替える（ステップＳＴ１３）。これにより、ユーザ所望のチャンネルの放送番組が映像表示される。
【００２７】
一方、キー操作部１５より通知されるキーイベントが「長押し」の場合（ステップＳＴ１２）には、キーに対応して取得したチャンネル情報と時刻情報に基づいて、メモリ１４内のＥＰＧデータを検索し、番組情報を取得する（ステップＳＴ１４）。
なお、制御部１１内の図示しないクロック信号に基づいて常に現在時刻が管理されており、時刻情報はこの現在時刻が処理の際に参照される。
【００２８】
ステップＳＴ１４で取得された番組情報は、現在選択されているチャンネルの映像表示を遮ることがないような態様で表示部２３に表示される。
図５は、ステップＳＴ１４で取得された番組情報の表示態様を示す例である。
表示態様としては、様々な方法が考えられるが、図５（ａ）では、チャンネルに対応した放送局名（図では、○×放送）と番組名（図では、プロ野球中継「××対△△」）のみが２行程度でポップアップ表示される一例である。また、図５（ｂ）に示すように、１行でスクロール表示させたりしてもよい。また、番組情報をスピーカ２４から出力するように音声処理部２２を制御してもよい。
図５（ａ）および（ｂ）のいずれの場合でも、現在視聴中の映像表示を遮ることがない態様で、番組情報が表示される。
なお、図５（ａ）および（ｂ）に示すように表示された番組情報は、所定の時間の後に非表示としたり（タイムアウト）、数字キー１５３以外の操作キーに対する操作に応じて非表示とするように構成する。
【００２９】
以上説明したように、本実施形態に係る携帯電話機によれば、チャンネルに対応付けられた数字キー１５３に対する操作に応じて、映像表示中のチャンネルを変えることなく、その他のチャンネルの番組内容（裏番組の内容）を表示させる。そして、その際に、その裏番組の内容を、視聴中の番組の映像表示を遮ることがない態様で表示させる。
したがって、携帯電話機のように小さな表示画面を有するために表示可能な情報量が少なく、かつ操作キーの数が限られている場合であっても、視聴中でないチャンネルの番組内容を確認する際の操作性が著しく向上する。
【００３０】
また、本実施形態に係る携帯電話機によれば、キーイベント（「長押し」／「短押し」）に応じて、操作された操作キーに対応するチャンネルを切り替えるか、または、チャンネルを切り替えずに操作された操作キーに対応するチャンネルの番組内容を表示させるかを選択するように構成したので、ユーザは、非常に簡易な操作で所望の動作を選択的に実行させることができる。
【００３１】
第２の実施形態
本実施形態に係る携帯電話機は、図１および図２に関連付けて述べた第１の実施形態に係る携帯電話機と比較して、さらに裏番組確認ボタン３０を含んで構成されることを特徴とする。
図６は、第２の実施形態に係る携帯電話機の回路ブロックの一構成例であるが、図２に示した第１の実施形態に係る携帯電話機と比較して、裏番組確認ボタン３０が付加されている点で相違する。
【００３２】
裏番組確認ボタン３０は、操作がなされることによって、第１の実施形態に係る携帯電話機と同様に、映像表示中のチャンネルを変更することなく、映像表示されていないチャンネルの番組内容を確認するための操作ボタンである。
第１の実施形態に係る携帯電話機では、数字キー１５３の数が限定されているために適切に「長押し」をすることができない場合や、数字キー１５３に対応するチャンネルが存在しない場合がある（たとえば，図３に示すように、数字キー「９」に対応するチャンネルは存在しない）ので、かかる場合にも適切に裏番組の内容が順に確認できるように、第２の実施形態に係る携帯電話機では、裏番組確認ボタン３０を付加している。
【００３３】
裏番組確認ボタン３０は、たとえば、専用の操作ボタンを携帯電話機の筐体上に設けてもよいし、デジタル放送を受信中の間だけ動作する特定の操作キーに割り当てるようにしてもよい。また、表示中のチャンネルの映像の視認性を確保しつつ、画面上にソフトウエアキーとして割り当ててもよい。
本実施形態では、一例として、デジタル放送受信中に左操作キー１５１および右操作キー１５２を、裏番組確認ボタン３０として割り当てる。
【００３４】
次に、裏番組確認ボタン３０が操作された際の本実施形態に係る携帯電話機の処理について述べる。
図７は、デジタル放送を受信して映像表示中に裏番組確認ボタン３０が押下（操作）された場合の制御部１１の処理を示すフローチャートである。
以下、図７のフローチャートの各ステップについて説明する。
【００３５】
なお、制御部１１は受信中のチャンネル番号に対応するリモコンキー番号（Ncurrent）を保持している。制御部１１は、表示対象の番組のチャンネルに対応する番組確認リモコンキー番号を以下に説明する各ステップで管理する。
先ず、裏番組確認ボタン３０が押下されると（ステップＳＴ２０）、制御部１１は裏番組情報を表示中かどうかを確認し（ステップＳＴ２１）、裏番組情報が表示されていなければ番組確認リモコンキー番号を（Ncurrent＋１）に設定する（ステップＳＴ２２）。これは、表示対象のチャンネルが現在映像表示中のチャンネルの次のチャンネルに設定するために行われる。
さらに、メモリ１４が参照され、番組確認リモコンキー番号に対応するチャンネル番号を番組確認チャンネル番号として設定する（ステップＳＴ２４）。
【００３６】
番組確認チャンネル番号が設定されると、制御部１１は、設定された番組確認チャンネル番号が存在する場合には（ステップＳＴ２５）、メモリ１４が記憶するＥＰＧデータから番組確認チャンネル番号に対応するチャンネルで放送されている現在時刻の番組を検索し（ステップＳＴ２７）、その結果取得した番組情報（たとえば、放送局名と番組名）を、第１の実施形態に係る携帯電話機と同様に、表示部２３上に表示する（ステップＳＴ２８）。
この番組情報（裏番組情報）が表示部２３上に表示されると、表示タイマが起動し（ステップＳＴ２９）、所定の時間経過の後に非表示となる（タイムアウト）。なお、裏番組確認ボタン３０以外の操作キーの押下によって、非表示とするように構成してもよい。
【００３７】
ステップＳＴ２９で、タイムアウトにより裏番組情報が非表示となる前に（すなわち、裏番組情報表示中に）、さらに裏番組確認ボタン３０が押下されると、制御部１１は、番組確認リモコンキー番号をインクリメントする（ステップＳＴ２３）。これにより、すでに表示中の裏番組情報に対応するチャンネルの次のチャンネルが表示されるように処理される（ステップＳＴ２４，２５，２７，２８）。
したがって、裏番組情報が表示されている限り、裏番組確認ボタン３０が順に押下されると、チャンネル番号に沿って順に番組情報が更新されて表示されていく。
【００３８】
なお、ステップＳＴ２５において、ステップＳＴ２２またはステップＳＴ２３により更新された番組確認リモコンキー番号に対応する番組確認チャンネル番号が存在しない場合には、有効に存在する番組確認チャンネル番号は得られるまで、順に番組確認リモコンキー番号をインクリメントする（ステップＳＴ２６）。
【００３９】
図８は、上述した処理に基づいて行われる裏番組情報の表示例を示す。（ａ）は制御部１１が参照するＥＰＧデータの内容を図解したものであり、（ｂ）〜（ｄ）は、裏番組確認ボタン３０が押下される毎の表示部２３の表示例である。
前述したように、本実施形態では、裏番組確認ボタン３０として左操作キー１５１および右操作キー１５２を割り当てており、（ｃ）および（ｄ）は、左操作キー１５１が押下された際の表示の変化を示している。
【００４０】
図８に示すように、あるチャンネル（たとえば、Ａ局）のデジタル放送を受信中（図８（ｂ））に、左操作キー１５１が押下されると、制御部１１は、（ａ）に例示するＥＰＧデータより裏番組であるＢ局の現在の時刻情報に対応する番組情報を取得し、その放送局名と番組名をポップアップして表示する（図８（ｃ））。すなわち、現在選択されているチャンネルの映像表示を遮らない態様で、図に示すようにポップアップ表示を行う。
なお、ここでＢ局のチャンネル番号は、現在映像表示中のＡ局のチャンネル番号の次のチャンネル番号となっている。
【００４１】
さらに、裏番組情報が表示されている間（ポップアップ表示されている間）に続けて左操作キー１５１が押下されると、Ｂ局のチャンネル番号の次のチャンネル番号であるＣ局の放送局名と番組名をポップアップして表示する（図８（ｄ））。
裏番組情報の表示と同時に起動する表示タイマがタイムアウトすると、裏番組情報を表すポップアップ表示が消去され、元の画面表示に戻る（図８（ａ））。
【００４２】
なお、図８では左操作キー１５１が押下される場合についてのみ述べたが、右操作キー１５２が押下される場合には、左操作キー１５１に対する操作とは逆に、順に表示される番組情報のチャンネル番号がデクリメントされるように構成することができる。その際には、図７に示したフローチャートのステップＳＴ２２において番組確認リモコン番号を（Ncurrent−１）とするとともに、ステップ２３において番組確認リモコン番号をデクリメントさせればよい。
【００４３】
以上説明したように、本実施形態に係る携帯電話機によれば、裏番組確認ボタン３０を設け、裏番組確認ボタン３０に対する操作に応じて、映像表示されているチャンネル（ユーザが視聴中のチャンネル）以外のチャンネルの番組情報（裏番組情報）を、ユーザが視聴中のチャンネルの映像表示を遮ることがない態様で表示させる。
したがって、携帯電話機のように小さな表示画面を有するために表示可能な情報量が少なく、かつ操作キーの数が限られている場合であっても、視聴中でないチャンネルの番組内容を確認する際の操作性が著しく向上する。
また、数字キー１５３に対応するチャンネルが存在しない場合であっても、順に有効に存在するチャンネルを検索して順に裏番組情報を表示させるので、第１の実施形態に係る携帯電話機と比較して操作性がさらに向上する。
【００４４】
なお、本発明の実施形態は、上述した内容に拘泥せず、本発明の要旨を変更しない範囲内で様々な改変が可能である。
たとえば、番組情報の取得についても放送波から取得するものに限定されるものではなく、通信機能を有する携帯電話機にデジタル放送受信装置が搭載されているものであれば、たとえば図２に示す無線部１３およびアンテナ１２を介して無線通信網から番組情報を取得することが可能であり、無線通信網を介して番組情報を取得して表示するものも放送波から番組情報を取得して表示するものと同様である。なお、無線通信網を介して番組情報を取得する場合は、放送波から取得する場合と比べて、より多くの情報を取得することが可能である。
また、上述した実施形態では、現在表示しているチャンネルと異なるチャンネルに対応する番組情報を予め取得して記憶しておいたメモリにアクセスして取得するものであるが、これに限定されるものではない。たとえば、現在表示しているチャンネルと異なるチャンネルが選択手段（たとえば、キー操作部１５）により選択された際に、当該選択されたチャンネルに対応する番組情報を放送波や無線通信網（インターネット等含む）から取得して表示するように構成してもよい。このように構成することにより、予め記憶できていなかった番組情報もリアルタイムに表示することができるという効果がある。
【００４５】
なお、本発明は特に表示部の表示画面が小さいために番組情報を一度に多く表示できない端末、たとえば一画面上に１または２チャンネル分の表示しかできなかったり、１〜２番組分の表示しかできなかったりする端末にとって、現在表示中のチャンネルとは異なるチャンネルの番組情報を、視聴の邪魔をすることなく確認するために非常に効果を奏するものである。
【図面の簡単な説明】
【００４６】
【図１】実施形態に係る携帯電話機の外観を示す一例である。
【図２】実施形態に係る携帯電話機の回路ブロックを示す一例である。
【図３】数字キーとチャンネルの対応関係である。
【図４】実施形態に係る携帯電話機の処理を示すフローチャートである。
【図５】実施形態に係る携帯電話機の表示例である。
【図６】実施形態に係る携帯電話機の回路ブロックを示す一例である。
【図７】実施形態に係る携帯電話機の処理を示すフローチャートである。
【図８】（ａ）は、ＥＰＧデータの内容の一例であり、（ｂ）〜（ｄ）は、実施形態に係る携帯電話機の表示例である。
【図９】ＥＰＧデータによる電子番組ガイドの一表示例である。
【符号の説明】
【００４７】
１１…制御部
１２，２０…送受信アンテナ
１３…無線部
１４…メモリ
１５…キー操作部
１６…チューナー
１７…復調部
１８…多重分離部
１９…画像処理部
２１…データ処理部
２２…音声処理部
２３…表示部
２４…スピーカ
２５…マイクロフォン
３０…裏番組確認ボタン
【図１】
2006013967.tif 000003
【図２】
2006013967.tif 000004
【図３】
2006013967.tif 000005
【図４】
2006013967.tif 000006
【図５】
2006013967.tif 000007
【図６】
2006013967.tif 000008
【図７】
2006013967.tif 000009
【図８】
2006013967.tif 000010
【図９】
2006013967.tif 000011